(57)【要約】【課題】印刷検査において最も時間を費やし作業のネックになっている検査項目設定を迅速に行い、印刷検査の作業効率を向上して、包装開始までの準備期間を大幅に短縮することを可能にする印刷検査システムを提供する。【解決手段】印刷検査システム１は、設定された印刷データＤｐに基づいて包装フィルムＦに印刷を施す印刷装置２、包装フィルムＦ上の印刷を読み取る読取り装置としてのスキャナヘッド４、及びスキャナヘッド４からの読取りデータＤｓから作成した検査画像データＤｔに基づいて得られた認識データＤｕを基準データＤｒと比較することにより印刷の適否を検査する印刷検査装置５を備えている。印刷検査装置５は印刷デーＤｐを利用して基準データＤｒを作成しているので、印刷検査装置５での設定作業が誤りなく確実に且つ迅速に行われ、作業性が向上する。【選択図】      図１
2005022266.tif 000002
【特許請求の範囲】
【請求項１】
設定された印刷データに基づいて被印刷物に印刷を施す印刷装置、前記被印刷物上の前記印刷を読み取る読取り装置、及び前記読取り装置からの読取りデータに基づいて行われる認識によって得られた認識データを照合元となる基準データと比較することにより前記印刷の適否を検査する印刷検査装置を備え、前記基準データは前記印刷データによって定められることから成る印刷検査システム。
【請求項２】
前記被印刷物は、表面に直接に前記印刷が施され且つ包装に直接的に又は間接的に用いられる包装材又はラベルであり、検査される前記印刷は前記包装に関連する情報を有する文字、数字又は記号として印刷される印字であることから成る請求項１に記載の印刷検査システム。
【請求項３】
前記包装材又は前記ラベルは長手方向に紙送りされるウェブ状の形態を有し、前記印字装置及び前記読取り装置は前記包装材又は前記ラベルの紙送り方向に順に配置されていることから成る請求項２に記載の印刷検査システム。
【請求項４】
前記読取り装置はラインセンサと照明を一体化したスキャナヘッドであり、前記スキャナヘッドは、前記印刷装置の前記紙送り方向下流側において前記ラインセンサのライン方向を前記紙送り方向に対して直交する方向に向けて配置されていることから成る請求項３に記載の印刷検査システム。
【請求項５】
前記印刷データは、一つ又は複数の印刷項目についての項目データ、前記印刷項目が印刷される前記被印刷物上の印刷位置についての位置データ、及び前記印刷項目が文字を含む場合には前記文字の種類、大きさ等の文字属性データを含んでいることから成る請求項１に記載の印刷検査システム。
【発明の詳細な説明】
【０００１】
【発明の属する技術分野】
この発明は、例えば、製品等の包装物を包む包装材や製品に貼着されるラベルに印字される文字や記号を対象として、印刷が適正に施されているか否かを検査する印刷検査システムに関する。
【０００２】
【従来の技術】
現在、製品等の包装物の包装に関しては、包装体毎に、その内容物に関する情報を表示することが行われている。包装物が飲食物である場合、その包装に関する情報としては、製造者、製造年月日、賞味期限、使用材料等があり、包装物によっては、表記が義務付けられている場合が殆どである。これらの情報は、通常、包装フィルムのような製品を包装する包装材や、箱や袋等の包装体に貼り付けるラベル上に、文字、数字、記号、バーコード等を印刷することにより表される。包装材やラベルの印刷面に印字するための印刷装置は包装機械に対して付属して配置されており、供給装置から繰り出される包装材やラベルに対して直接的に印刷が行われる。印刷装置は、加熱した刻印にインクを溶着させて印刷面に文字を印字するホットロールプリンタ装置や、サーマルヘッドを熱転写リボンやフィルムに押し当てて印字するサーマルプリンタ装置等、種々の方式がある。
【０００３】
印刷装置においては、印刷ヘッドや刻印の摩耗等により、印字が欠けたり、掠れたりする等の不具合が生じる可能性がある。また、特にサーマルヘッドを用いた熱転写方式の印刷では、インクの転写の不良によって印刷が不完全となり、印刷が読み取り不可能になったり、あるいは読み取り誤りとなる場合がある。こうした印刷の不具合が発生することに対処するため、現状では、印刷された文字等を含む一定範囲の領域をカメラ等の撮像装置で撮像し、得られた画像を画像処理装置に取り込み、予め登録されている印字文字の種類や位置、大きさ、範囲等から印刷が正常か不良かを判断している。
【０００４】
図３には、従来の印刷検査の一例としての印刷検査システム２０の概要が示されている。図３に示すように、印刷装置２２は、包装材としてのウェブ状の包装フィルムＦが包装装置へと平らな状態で紙送りされる途中に配置されており、包装フィルムＦ上の包装単位に対応した所定間隔毎の一定範囲に渡って印刷Ａを行う。印刷装置２２の下流側に配置されている照明装置２３は、通過中の包装フィルムＦを照射し、印刷領域が照射範囲に含まれるときにカメラ等の撮像装置２４が印刷Ａを含む一定領域を撮影する。撮像装置２４が撮影した撮像情報は、印刷検査装置２５に送られて、印刷Ａの印刷状態が適正であるか否かが検査に用いられる。印刷検査装置２５には、撮像装置２４が撮影した撮像情報や印刷検査装置２５が行った検査結果を表示する表示装置２７と、撮像装置２４、印刷検査装置２５及び表示装置２７の種々の設定等を行うための操作ボード２６とが接続されている。
【０００５】
印刷検査システム２０では、先ず、カメラ等の撮像装置２４が印刷Ａを含む領域を撮像領域として撮影するため、図４（ａ）に示すように、撮像装置２４ａは包装材Ｆから一定以上の距離Ｌを置いて撮影する必要がある。撮像装置２４ａとして二次元画像を取り込むカメラを用いる場合には、カメラを包装フィルムＦからある程度の遠い距離のところに取り付けて比較的広い範囲を一度に撮影する必要があり、しかもカメラと包装フィルムＦとの間には撮影を妨げる障害物が許されないので、カメラの取付け位置に大きな制約があり、任意の箇所に配置することはできなかった。撮像領域を一度に撮影するのではなくラインセンサで走査して撮像する場合も、広範囲に走査するためにラインセンサを包装材から一定以上の距離を置いて配置していた。
【０００６】
撮像装置２４が撮像領域を正確に且つ明瞭に撮影し印刷Ａを明瞭な画像として取り込むためには、包装機械において、照明装置２３や撮像装置２４及びそれらを固定するための金具等を配置する大きなスペースが必要である。また、検査すべき一定の印刷領域を明瞭な画像として取り込むためには、撮像装置２４を適切に初期設定する必要がある。しかしながら、包装機械には多種多様な形態があり、利用可能なスペースも包装機械毎に異なっているとともに、従来から小型化が図られてきているために余剰スペースも狭くなっている。したがって、照明装置２３、撮像装置２４及びそれらのための金具に利用できるスペースが確保できず、図４（ｂ）に示すように、設置スペースの関係から印刷面と撮像装置との間に短い距離Ｌｂしか取れないために、広角レンズを備えた撮像装置２４ｂを使用しなければならない場合も生じている。撮像装置２４ｂで撮影した撮影画像は、特にその周辺部で歪んでいるので、印刷Ａが正常な印刷状態であるのか否かを判断するのが困難になることがある。印刷Ａの領域が長いために撮像領域が長くなる場合には、図４（ｃ）に示すように、印刷面と撮像装置２４ｃとの間には一層の長い距離Ｌｃが必要になる。
【０００７】
上記のように構成された従来の印刷検査では、撮影された画像を画像処理装置に取り込み、取り込んだ画像と予め登録されている情報とに基づいて印刷の適否を判断するが、画像処理装置の設定が非常に複雑である。図５には、画像処理設定例が示されている。図５（ａ）には、実際の印刷の様子の一例が示されている。印刷が「賞味期限」の文字３１とその日付３２、「製造年月日」の文字３３とその日付３４、製造ロットや番号等を示す「カウンタ」の文字３５とその数値３６、及び製造情報を含むバーコード３７からなる印字である場合を挙げて説明する。設定画面において、印字される各印字領域の位置や範囲を示す座標データ、印字のフォントのような種類、及び項目・日付・時刻等の属性・形式が個々に設定され、登録される。検査では、各印字範囲を指定して予め記憶されている設定データと比較される。文字３１，３３，３５、日付３２，３４、数値３６、及びバーコード３７については、それぞれ撮影画像と設定データとの間で、文字比較、数字比較、又はバーコードパターン比較が行われる。
【０００８】
画像処理設定において、「賞味期限」、「製造年月日」及び「カウンタ」の各文字３１，３３，３５については、詳細には、文字として範囲や位置を登録しておき、登録された設定データと比較して欠けがないか否か等が検査される。賞味期限の日付３２、製造年月日の日付３４及びカウンタの数値３６については、それぞれ位置や範囲及び表示形式（年、月、日の各区切り（「／」か「．」）、数字の桁等）が設定データとして登録され、正しく印字されており且つ数字として正しく認識できるか否かが検査される。また、賞味期限については現在時刻から指定日数後の日付に正しく印字されているか否か、製造年月日については現在時刻と比較して正しく印字されているか否か、及びカウンタの数値３６については、製品ごとに変化していく数字となっているか否かが検査される。更に、バーコード３７については、その位置や範囲、及びコードパターンが設定データとして登録され、正しく印刷されているかが検査される。
【０００９】
画像処理装置については、上記のように、印字品種毎に文字３１，３３，３５についてはその位置・種類・向き・大きさ・検査レベルの設定、日付文字３２，３４等の日時比較のための認識設定、あるいは連続番号など数字が変化する数字３５に対する設定など、多くの項目を設定する必要がある。印刷される文字、数字及び記号において、大きさやフォントが異なる場合は勿論のこと、同一の印字パターンである場合でも、カメラとその設置距離、レンズの種類及び仕様等の条件変化があるときには、撮影画像での各項目の印刷位置、範囲及び大きさが変化するので、検査装置においてはカメラ設置毎に毎回設定をし直す必要がある。検査項目の設定を登録するには、カメラで撮影したサンプル画像を取り込んで表示器に表示し、サンプル表示を見ながら設定画面上で文字の位置を範囲選択し、個々に条件設定するなどして複雑で多くの操作を行う必要がある。そうした初期設定は非常に複雑であって費やす時間が長くなると共に、作業員の熟練が要求される。図５（ｂ）には、図５（ａ）に示す実際の文字の大きさや位置が、カメラの設置位置等によって変化する様子が示されている。場合によっては、特に四隅等の位置において、画像が歪むこともある。
【００１０】
用紙の搬送方向に対して実質的に直角方向に配列された複数の印字画素を選択的にＯＮ又はＯＦＦすることにより、用紙に印刷を行う印刷機構の検査方法であって、用紙の搬送方向に対して実質的に直角方向に配列された複数の画像取得画素を有するＣＣＤラインセンサを用いて、用紙に設けられた検査領域の反射光量データを取得し、取得された隣接する各画像取得画素の反射光量データに基づいて、白抜け不良等の印刷欠陥について印刷機構を検査する方法が提案されている（特許文献１参照）。
【００１１】
【特許文献１】
特開２００２−３２８０９７号公報（段落［００３４］〜［００４７］、図４〜図９）
【００１２】
【発明が解決しようとする課題】
そこで、例えば包装材やラベルのような被印刷物の印刷面上に施される、例えば包装に関する印刷状態を画像処理によって検査するに際して、認識設定等の検査項目設定を、印刷の際に予め作成されるデータを利用して行うことで、設定作業の効率化を図る点で解決すべき課題がある。
【００１３】
この発明の目的は、印刷検査において最も時間を費やし作業のネックになっている検査項目設定を迅速に行い、印刷検査の作業効率を向上して、例えば包装開始までの準備期間のような、作業時間を大幅に短縮することを可能にする印刷検査システムを提供することである。
【００１４】
【課題を解決するための手段】
上記の課題を解決するため、この発明による印刷検査システムは、設定された印刷データに基づいて被印刷物に印刷を施す印刷装置、前記被印刷物上の前記印刷を読み取る読取り装置、及び前記読取り装置からの読取りデータに基づいて行われる認識によって得られた認識データを照合元となる基準データと比較することにより前記印刷の適否を検査する印刷検査装置を備え、前記基準データは前記印刷データによって定められることから成っている。
【００１５】
この印刷検査システムによれば、印刷装置は、予め設定されている印刷データに基づいて被印刷物に印刷を施す。その印刷データは、印刷検査装置において利用される。読取り装置は、印刷装置によって施された被印刷物上の印刷を読み取り、読取り信号を印刷検査装置に送る。印刷検査装置は、印刷データから定められる基準データと、読取り装置からの読取りデータに基づいて認識される認識データとを照合して、印刷の適否を判定する。したがって、印刷検査装置においては、印刷データを利用することができ、検査用として印刷データを改めてキーボード等から入力する作業が必要でなくなり、また、入力ミスもなくなる。
【００１６】
この印刷検査システムにおいて、前記被印刷物を、表面に直接に前記印刷が施され且つ包装に直接的に又は間接的に用いられる包装材又はラベルとし、検査される前記印刷を前記包装に関連する情報を有する文字、数字又は記号として印刷される印字とすることができる。包装に関連する印刷としては、包装される製品等の内容物に関するものがある。内容物が食品である場合には成分や賞味期限等の摂食するに際して重要な情報を含むことが普通であり、印刷不良なものを正常と判定して通過させるような間違いは許されない。印刷検査装置においては、印刷データが検査の照合元の基準データとして利用されるので、印刷検査のために設定を再入力する際に入力ミスが入り込む余地がない。したがって、印刷検査の正確さが期待される。
【００１７】
包装材又はラベルに印字された印刷を検査する印刷検査システムにおいて、前記包装材又は前記ラベルは長手方向に紙送りされるウェブ状の形態を有するものとし、前記印字装置及び前記読取り装置は前記包装材又は前記ラベルの紙送り方向に順に配置されるものとすることができる。ウェブ状の包装材又はラベルに印字装置によって印刷を施す場合、印字面は、包装材又はラベルがその長手方向に紙送りされるときに移動し、紙送り下流側に配置されている読取り装置によって読み取ることができる。
【００１８】
印刷装置及び読取り装置をウェブ状の包装材又はラベルの紙送り方向に順に配置した上記印刷検査システムにおいて、前記読取り装置を、ラインセンサと照明を一体化したスキャナヘッドとし、前記スキャナヘッドを、前記印刷装置の前記紙送り方向下流側において前記ラインセンサのライン方向を前記紙送り方向に対して直交する方向に向けて配置することができる。読取り装置としてのスキャナヘッドは、容易に入手可能な機器であり、ラインセンサは、包装材又はラベルに印刷された印字をその紙送りと直交する方向を主走査とし紙送り方向を副走査方向として順次読み取ることができる。ラインセンサは、走査すべき検出面からの距離が一定であり、且つ単位寸法当たりの画素数が固定されたセンサである。ラインセンサで読み取ったデータは、長さ方向で画像調整が不要な均質なデータであるので、検査画像データへの編集が簡単である。また、スキャナヘッドを印刷装置において紙送り方向の下流側に取り付ける等によって配置することにより、読取り装置を印刷装置とは一緒に取り扱うことが可能であると共に、両装置を省スペースで且つコンパクトに配置することが可能となる。
【００１９】
上記印刷検査システムにおいて、前記印刷データは、一つ又は複数の印刷項目についての項目データ、前記印刷項目が印刷される前記被印刷物上の印刷位置についての位置データ、及び前記印刷項目が文字を含む場合には前記文字の種類、大きさ等の文字属性データを含むことができる。印刷データを基準データに利用して、印刷データに含まれる項目データ、位置データ及び文字属性データをデータを印刷検査の検査項目とすることにより、印字が印刷データ通りに正確になされているかを検査することができる。
【００２０】
【発明の実施の形態】
以下、添付した図面に基づいて、この発明による印刷検査システムの実施例を説明する。図１はこの発明による印刷検査システムの一実施例を示す概略図、図２は図１に示す印刷検査システムで用いられる読取り装置の配置例を示す概略図である。
【００２１】
図１に示す印刷検査システム１は、ウェブ状包装材の一形態を有する包装フィルムＦを被印刷物として、包装フィルムＦに印刷される文字、数字又は記号等の印字が適正に印刷されているか否かを検査するシステムである。印刷検査システム１は、包装フィルムＦの紙送り経路の所定位置において、設定された印刷データＤｐに基づいて包装フィルムＦの表面に印刷を施すホットロールプリンタやサーマルプリンタのような印刷装置２と、印刷装置２に印刷指令信号を出力する印刷制御装置３と、印刷装置２によって印刷された包装フィルムＦ上の印刷Ａを読み取る読取り装置としてのスキャナヘッド４と、スキャナヘッド４からの読取りデータＤｓを照合元となる基準データＤｒと比較することにより印刷の適否を検査する印刷検査装置５とを、その基本構成として備えている。印刷検査装置５には、包装フィルムＦの紙送り量を検出するエンコーダ６からのカウントデータが送られる。
【００２２】
包装フィルムＦの表面には、包装に関連する情報、即ち、包装される製品等の内容物に関する情報が文字、数字又は記号を用いた印字として直接に施される。印刷検査システム１によって検査される印刷Ａは、具体的にはそうした印字である。印刷装置２による印刷を制御する印刷制御装置３に関連して、印刷データＤｐを設定するため、キーボード等の入力装置１０と、設定画面を表示するディスプレイ１１とが設けられている。印刷データＤｐを設定する手段としてはこれに限ることはなく、例えば、別のところで設定された印刷データＤｐを記録した各種記録媒体を読み出して読み込むことができる読込み装置（図示せず）を印刷制御装置３に付属させたり、そうした印刷データＤｐを接続回線等を用いた通信手段によってオンラインで印刷制御装置３にダウンロードすることもできる。印刷制御装置３には、読み込まれた印刷データＤｐを保存しておく印刷データ保存部１２及び印刷装置２を駆動する印刷ドライバ部１３を備えている。
【００２３】
スキャナヘッド４は、ラインセンサと照明とを一体化して構成されている小型化された読取り装置であり、市場でも容易に入手可能な読取り機器である。スキャナヘッド４は印刷装置２において紙送り方向の下流側に配置されており、ラインセンサは、その紙送りと直交しセンサが並ぶライン方向を主走査とし、紙送り方向を副走査方向として取り付けられていて、包装フィルムＦに印刷された印字Ａを順次読み取る。その結果、スキャナヘッド４は、一定範囲を二次元的に撮像するカメラと比較して、包装フィルムＦに一層近い位置に配置することができ、必要な設置スペースも小さくすることができる。スキャナヘッド４を用いることにより、その検出距離は包装フィルムＦに対して非常に近接し且つ一定しているので、印刷領域を照らす明るさも均等であるとともに外乱光の影響が小さくなる。また、読取りの際の単位寸法当たりの画素数も一定である。それゆえ、カメラの場合のように、照明の強さや位置、或いは方向によって照明の明暗や明るさに分布が生じることがなく、また、広角レンズを使用するときのように、検出した画像データに不均一や歪みが生じるということもない。
【００２４】
印刷Ａを読み取るスキャナヘッド４は、印刷装置２において、包装フィルムＦの紙送り方向下流側の壁面２ａに取り付けられている。その結果、印刷装置２とスキャナヘッド４とは一体となった一つの装置として取り扱うことができ、印刷装置２の配置及び位置変更に際してスキャナヘッド４を常に印刷装置２に追従させることができる。また、印刷装置２の印刷ヘッドとスキャナヘッド４との間の間隔を可及的に短くすることができるので、印刷検査システム１がコンパクトに構成され、包装装置において印刷検査システム１が占めるスペースを極力小さくすることができる。包装フィルムＦ上の印刷Ａは、印刷装置２によって印刷が施された後、包装フィルムＦの紙送りによって短い距離を移動した直後に、スキャナヘッド４によって読み取られる。
【００２５】
印刷検査装置５は、スキャナヘッド４のラインセンサが読み取った読取りデータＤｓとしてのライン画像情報と、包装フィルムＦの紙送り量を検出するエンコーダ６からのカウントデータを受けて、画像処理を行う画像処理装置としての機能を持つ。画像の取り込みは、包装フィルムＦ上のマークＭを検出したマーク検出信号や包装機又は印刷装置２からのタイミング信号を受けて開始される。包装フィルムＦのマーク検出信号に対応した所定位置から一定寸法毎にスキャナヘッド４からのライン画像を取り込み、印刷Ａを含む一定範囲の二次元画像を形成することによって、印刷検査すべき検査画像データＤｔが得られる。検査画像データＤｔからは、認識ソフトの適用によって、文字、数字、記号等が認識されて、照合用として用いることができる認識データＤｕが得られる。
【００２６】
図２は、この発明による印刷検査システムにおけるスキャナヘッドの配置の態様を示す概略図である。スキャナヘッド４は、図２（ａ）に示すように包装フィルムＦが平坦に走行しているばかりでなく、図２（ｂ）に示すようにローラ１８による方向転換部分においても設置可能であり、従来の撮像装置の設置条件と比較して、スキャナヘッド４の設置条件が大きく緩和されている。
【００２７】
印刷検査システム１においては、印刷制御装置３に設定した印刷データＤｐを印刷検査装置５における照合する元となる基準データＤｒとして利用している。図示の例では、印刷制御装置３と印刷検査装置５との間は接続ケーブル１４によって接続され、印刷データ保存部１２に保存されている印刷データＤｐが接続ケーブル１４によって印刷検査装置５に送信される。送信された印刷データＤｐに基づいて、基準データＤｒが基準データ記憶部１５に記憶される。印刷項目、位置、文字の種類や属性、数字等についての印刷データＤｐを印刷検査装置５側において利用することにより、印刷データＤｐと同等の内容を持つ基準データの複雑な設定を自動で行うことができる。同一の文字や記号は大きさや位置等については同じ条件で検出することができ、検出精度の低下を回避することができる。更に、図４（ｃ）で示したように検出長さが長くなっても、印刷面とスキャナヘッド４との間に距離を大きくすることなく、ライン画像の取込み走査線数を増やすだけで、取込み範囲を広げることができる。なお、印刷データＤｐの利用においては、接続ケーブル１４による構造を示したが、これに限らず、任意の媒体に記憶させておいて、印刷検査装置５に読みとらせる手法も用いることができる。
【００２８】
上記のように、印刷検査装置５においては、照合比較する基準となるデータを独自に入力し設定する必要がなく、設定作業が簡単、迅速且つ誤りなく行われ、検査のための各種設定作業負担が大きく軽減される。なお、印刷検査装置５には、特殊な設定や設定の変更等のために使用する場合の外には、基準データＤｒの入力設定用の操作ボード１６やディスプレイ１７は必ずしも必要ではない。
【００２９】
印刷検査システム１において、印刷データＤｐは、図５について既に説明したように、賞味期限、製造年月日、カウンタ等の数値として表すことができる一つ又は複数の印刷項目についての項目データ、各印刷項目が印刷される包装フィルム上の印刷位置についての位置データ、及び印刷項目が文字を含む場合には文字の種類、大きさ等の文字属性データを含むことができる。印刷データＤｐを印刷検査装置５における基準データＤｒに利用して、印刷データＤｐに含まれる項目データ、位置データ、文字属性データ等を、印刷検査の検査項目とすることにより、検査画像データＤｔから認識されて得られる認識データＤｕが印刷データＤｐと一致するか否かをチェックすることで、印刷が印刷データＤｐ通りに正確になされているかを検査することができる。
【００３０】
図１に示す印刷検査システム１の作動について説明すると、先ず、被印刷物である包装フィルムＦに印刷するに際して、印刷制御装置３には入力、読込み等の手段によって印刷データＤｐが設定される。印刷装置２は、印刷制御装置３がその印刷データＤｐに基づいて出力する印刷指令信号によって、包装フィルムＦに印刷を施す。印刷装置２の例としてのサーマルプリンタにおいては、単位当たりの印字ドットは予め決まっており、印刷内容（日付や文字、パターン等）や印刷位置も設定される。ホットロールプリンタ等では、活字の種類・大きさ、印字可能な位置が決まっているため、予め定められた位置に日付や位置等を登録するだけで印刷検査が可能になる。印刷データＤｐは、印刷制御装置３から印刷検査装置５に送られ、印刷検査装置５において基準データＤｒとして利用される。
【００３１】
読取り装置であるスキャナヘッド４は、印刷装置２によって施された包装フィルムＦの印刷を読み取り、そのライン画像を読取りデータＤｓとして印刷検査装置５に送る。ラインセンサと照明とを内蔵したスキャナヘッド４を採用することにより、包装フィルムＦに対して近い位置へスキャナヘッド４を配置することが可能である。また、照明の明るさや検出距離がラインセンサに沿って一定であるので、単位寸法当たりの画素数も一定で且つ撮影条件も均質になり、検査画像データＤｔにおいては、同一の印字パターンはどの条件でも同じ大きさ・位置で画像として形成される。また、検出範囲が長くなっても、ライン画像の取り込み回数を増やすだけで範囲を広げることができる。
【００３２】
印刷検査装置５は、包装フィルムＦの送り量を検出するエンコーダ６、又はその下流に配設される包装機などの各種装置からの包装フィルムＦの送り量信号に基づいて、包装フィルムＦのマークＭを検出するマーク検出器からの信号や包装機や印刷装置２からのタイミング信号を受けて、画像の取込みを開始する。印刷検査装置５は、スキャナヘッド４からの読取りデータＤｓを所定の位置から一定寸法毎に順次取り込み、印刷Ａを含む一定範囲の二次元画像を形成する。この二次元画像をパターン認識等の手段で画像処理することにより、印刷されている文字、数字、記号を特定した認識データＤｕを作成する。次に、印刷検査装置５は、印刷制御装置３からの印刷データＤｐと、画像処理によって得られた認識データＤｕとを照合して、印刷の適否を判定する。したがって、印刷検査装置５においては、印刷制御装置３から受け取る印刷データＤｐを利用して設定作業の迅速化、正確化を図ることができる。また、検査用として印刷データＤｐを改めてキーボード等から入力する作業が必要でなくなり、入力ミスもなくなる。
【００３３】
上記の印刷検査システムでは、包装材として包装フィルムＦを用いた例を挙げたが、本発明による印刷検査システム１では、包装関連に適用する場合であっても、紙や合成樹脂フィルム等の包装材、あるいは内容物を収容した包装材に貼着されるラベルであってもよい。ラベルの場合には、ウェブ状の剥離紙に順に貼り付けられ長手方向に紙送りすることができる。また、エンコーダ６は、必ずしもこのシステム１内に配置する必要はなく、包装機等において適宜設けられるフィルム送り量検出手段が検出したフィルム送り量を用いることもできる。更に、上記の印刷検査システムでは、印刷データＤｐは印刷制御装置３が出力する印刷指令信号によって印刷検査装置５に送られるとしたが、印刷装置２が包装フィルムＦ上のマークＭを検出して印刷を行う場合等にあっては、印刷装置２から直接に印刷データＤｐを印刷検査装置５に送信してもよい。
【００３４】
【発明の効果】
この発明による印刷検査システムによれば、被印刷物に一層近い位置へ読取り装置を配置することができるため、小さなスペースで画像取り込みから印刷検査までが可能である。また、ライン画像の取り込みであるので、平坦な一定スペースを確保しなくても、例えば、ローラによる紙送り方向が変更される領域でも画像取り込みが可能になる。また、印刷面と読取り装置との間の距離が近いために、外乱光の影響も小さくなる。更に、読取装置がラインセンサの場合には、単位寸法当たりの画素数が一定であるので、読取り装置による読取データの読取り条件はセンサのライン方向で変わらない。その結果、印刷装置において用いられる刻印の種類や印字の属性等の印刷データを印刷検査装置（画像処理装置）において利用することで、文字の種類、位置、大きさ、印字内容などの画像処理装置側の複雑な設定を誤りなく自動で行うことができる。スキャナヘッドは小さいスペースに取り付け可能であるため、印刷装置に取り付けて印刷装置と一体化することもできる。印刷位置とスキャナヘッドまでの距離が一定であれば、印字検査装置の設定はすべて自動で行うことが可能となる。印刷検査装置においては、印刷装置で用いる印刷データを検査の照合元の基準データに利用しているので、印刷検査のために設定を再入力する際に入力ミスが入り込む余地がない。内容物が食品である場合には成分や賞味期限等の摂食するに際して重要な情報を含むことが普通であり、印刷不良なものを正常と判定して通過させるような間違いは許されないが、この印刷検出システムであれば、印刷検査の正確さが期待される。
【図面の簡単な説明】
【図１】図１はこの発明による印刷検査システムの一実施例を示す概略図である。
【図２】図１に示す印刷検査システムで用いられる読取り装置の配置例を示す概略図である。
【図３】従来の印刷検査システムの一つとしての印字検査システムの概略図である。
【図４】従来の印刷検査システムの一つとして、撮像装置として包装材から一定以上の距離を置いて撮影されるカメラの態様を示した概略図である。
【図５】図５は、画像処理設定例を示す図である。
【符号の説明】
１  印刷検査システム                ２  印刷装置
３  印刷制御装置                    ４  スキャナヘッド（読取り装置）
５  印刷検査装置                    ６  エンコーダ
１０  入力装置                      １１  ディスプレイ
１２  印刷データ保存部              １３  印刷ドライバ部
１４  接続ケーブル
Ｆ  包装フィルム
Ｄｐ  印刷データ                    Ｄｓ  読取りデータ
Ｄｔ  検査画像データ                Ｄｕ  認識データ
Ｄｒ  基準データ
【図１】
2005022266.tif 000003
【図２】
2005022266.tif 000004
【図３】
2005022266.tif 000005
【図４】
2005022266.tif 000006
【図５】
2005022266.tif 000007